(57)【特許請求の範囲】
【請求項１】
第１胴部と、前記第１胴部の外面の周り方向に沿って螺旋形に形成されるが、断絶区間なしに連続して形成される第１連続ネジ部とを備える第１フィクスチャーと、
前記第１胴部と同一の第２胴部と、前記第２胴部の外面の周り方向に沿って螺旋形に形成されるが、前記第１連続ネジ部とは異なる外径を有し、断絶区間なしに連続して形成される第２連続ネジ部とを備える第２フィクスチャーと、
を含み、
前記第１及び第２連続ネジ部のそれぞれは、
垂直または一側に傾いた形態の先端部と、
前記先端部の上面または下面に形成され、植立時の抵抗トルクを減少させる曲面部とを含み、前記第２連続ネジ部の端部領域は、前記第１連続ネジ部の先端部から前記第１連続ネジ部の上面または下面の曲面と同様に所定長さほど半径方向外側にさらに延設されることを特徴とするインプラントシステム。
【請求項２】
前記第１フィクスチャーは、前記第１胴部の一端部に形成され、前記第１連続ネジ部によって、前記第１フィクスチャーが植立されるホール（ｈｏｌｅ）の開口部の領域に存在する歯槽骨の損傷を阻止させる第１骨損傷阻止部をさらに含み、
前記第２フィクスチャーは、前記第２胴部の一端部に形成され、前記第２連続ネジ部によって、前記ホールの開口部の領域に存在する歯槽骨の損傷を阻止させる第２骨損傷阻止部をさらに含むことを特徴とする請求項１に記載のインプラントシステム。
【請求項３】
前記第１及び第２骨損傷阻止部のそれぞれは、前記第１及び第２胴部の一端部の外面で前記第１及び第２連続ネジ部が形成されていない非ネジ区間によって形成されるが、前記第１及び第２胴部の一端部で所定長さほど前記第１及び第２胴部に一体に形成されることを特徴とする請求項２に記載のインプラントシステム。
【請求項４】
前記第１及び第２骨損傷阻止部のそれぞれは、前記第１及び第２胴部の一端部から反対側に行くほどその断面積が小さくなる非直線形の外面を有することを特徴とする請求項３に記載のインプラントシステム。
【請求項５】
前記第１及び第２胴部は、植立方向に沿って断面積が漸進的に小さくなるように外面がテーパー状に設けられ、
前記第１及び第２連続ネジ部の先端部を連結する仮想の外郭ラインは、植立方向に沿って漸進的にその幅が狭くなるテーパー傾斜ラインを形成することを特徴とする請求項１に記載のインプラントシステム。
【請求項６】
前記第１連続ネジ部のネジ山の間のピッチ間隔と前記第２連続ネジ部のネジ山の間のピッチ間隔は、互いに同一であることを特徴とする請求項１に記載のインプラントシステム。
【請求項７】
前記第１フィクスチャーは、前記第１骨損傷阻止部の反対側の前記第１胴部の他端部に設けられ、前記第１胴部が植立方向に対して、前記第１胴部の先端部から前記第１胴部の長手方向に所定の区間ほど形成されて、前記第１胴部に対する初期の植立進入方向を案内する第１進入方向案内部をさらに含み、
前記第２フィクスチャーは、前記第２骨損傷阻止部の反対側の前記第２胴部の他端部に設けられ、前記第２胴部が植立方向に対して、前記第２胴部の先端部から前記第２胴部の長手方向に所定の区間ほど形成されて、前記第２胴部に対する初期の植立進入方向を案内する第２進入方向案内部をさらに含むことを特徴とする請求項２に記載のインプラントシステム。
【発明の詳細な説明】
【技術分野】
【０００１】
本発明は、歯科用インプラントのフィクスチャー及びそれを備えるインプラントシステムに係り、より詳細には、初期のフィクスチャーの植立が失敗しても、再び穿孔せずとも、直ちに次のフィクスチャーを植立することができて、従来よりもインプラント施術を便利に行えるインプラントシステムに関する。
【背景技術】
【０００２】
インプラントは、元々人体組職が喪失された時、回復させる代替物を意味するが、歯科では、人工歯牙を移植する一連の施術を示す。
【０００３】
喪失された歯根の代わりに、人体に拒否反応のないチタン（ｔｉｔａｎｉｕｍ）などで作った歯根であるフィクスチャー（ｆｉｘｔｕｒｅ）を抜歯された歯槽骨に植えた後、人工歯牙を固定させて、歯牙の機能を回復させる施術である。
【０００４】
一般補綴物や総入れ歯の場合、経時的に周りの歯牙と骨とが傷むが、インプラントは周辺歯牙組職を傷まないようにし、自然歯牙と機能や形状が同じながらも虫歯が生じないので、半永久的に使用できる長所がある。
【０００５】
人工歯牙施術（インプラント、インプラント施術とも言う）は、多種のフィクスチャーによって多様であるが、所定のドリルを使って植立位置を穿孔した後、フィクスチャーを歯槽骨に植立して骨に骨融合させた後、フィクスチャーに支台柱（ａｂｕｔｍｅｎｔ）を結合させた後に、支台柱に最終補綴物を被せることによって、完了することが一般的である。
【０００６】
インプラントは、単一欠損歯の修復はもとより部分無歯牙及び完全無歯牙患者に義歯の機能を増進させ、歯牙補綴修復の審美的な面を改善させ、さらに周りの支持骨組職に加えられる過度な応力を分散させると同時に、歯列の安定化に役に立つ。
【０００７】
このようなインプラントは、一般的に、人工歯根として植立されるフィクスチャーと、フィクスチャー上に結合される支台柱と、支台柱をフィクスチャーに固定する支台柱スクリュー（Ａｂｕｔｍｅｎｔ  Ｓｃｒｅｗ）と、支台柱に結合される人工歯牙とを含む。ここで、支台柱をフィクスチャーに結合させる前に、すなわち、歯槽骨にフィクスチャーが骨融合されるまでの期間の間にヒーリングアバットメント（図示せず）がフィクスチャーに結合されて結合状態を保持する。
【０００８】
インプラントの一構成であるフィクスチャーは、インプラントが施術される位置にドリルなどを用いて歯槽骨に形成されたドリルホールに植立される部分であって、人工歯根の役割を担当する。したがって、フィクスチャーは、歯槽骨に堅固に植立されなければならない。
【０００９】
これにより、フィクスチャーの外面には、ドリルホールを形成する歯槽骨の内側壁部分に堅固に結合されるように、ネジ部（ネジ山）が形成される。このようなネジ部は、歯槽骨に引き込まれてフィクスチャーと歯槽骨とを堅固に結合させるだけではなく、フィクスチャーと歯槽骨との接触面積を増大させることによって、歯槽骨に対するフィクスチャーの固定力を強化する役割を果たす。
【００１０】
このように、インプラント施術は、ドリルを用いて歯槽骨にホールを穿孔した後、穿孔されたホールにフィクスチャーを植立し、引き続き骨融合が進行すれば、フィクスチャーに支台柱を結合させ、最終的に人工歯牙を被せる段階に進行する。
【００１１】
このようなインプラント施術において、施術条件によって、フィクスチャーは、そのサイズ（ネジ山の最大直径）が互いに異なるものが選択されて使われるが、この際、ドリルも互いに異なるものが使われる。通常、サイズが大きなフィクスチャーは、サイズが大きなドリルを使い、サイズが小さなフィクスチャーは、サイズが小さなドリルを使う。これは、フィクスチャーの胴部が、フィクスチャーのサイズ別に異なるためである。
【００１２】
しかし、このように、フィクスチャーのサイズに対応してドリルを選択して使う場合や、または歯槽骨に既にフィクスチャーの植立のためのホールが形成されているにもかかわらず、これより大きなサイズのフィクスチャーの植立のために、再び穿孔作業をしなければならない場合などにおいては、その作業が非常に煩わしい。特に、初期のフィクスチャーの植立が失敗した場合、次のフィクスチャーを植立するためには、胴部が初期のフィクスチャーと異なるために、これに適したドリルで再び穿孔作業を進行しなければならない煩わしさがある。したがって、インプラント施術を従来よりも便利に行える新たな概念のインプラントシステムの開発が必要な実情である。
【００１３】
一方、従来の歯科用インプラントのフィクスチャーの場合、フィクスチャーが容易に植立されるように、ネジ部の一定区間を断絶させた後、すなわち、ネジ部が連続されないように断絶させ、この領域にカッティングエッジ部（ｃｕｔｔｉｎｇ  ｅｄｇｅ  ｐｏｒｔｉｏｎ）を形成したものが一般的であるが、このようにネジ部を断絶させて形成したカッティングエッジ部によって、むしろフィクスチャーの植立方向が要求される方向からずれる恐れがあるので、これに対する対策が要求される。
【００１４】
そして、従来の歯科用インプラントのフィクスチャーにおいては、ネジ部がフィクスチャーの胴部の外面の全領域にわたって形成されているために、例えば、ホールの入口が相対的に狭い場合などにおいて、胴部の外面の全領域にわたって形成されるネジ部によって、ホールの開口部の領域に存在する骨（歯槽骨）が損傷されて、インプラント施術の失敗要因になりうるので、これに対する対策が要求される。
【発明の概要】
【発明が解決しようとする課題】
【００１５】
本発明の目的は、初期のフィクスチャーの植立が失敗しても、再び穿孔せずとも、直ちに次のフィクスチャーを植立することができて、従来よりもインプラント施術を便利に行えるインプラントシステムを提供することである。
【００１６】
本発明の他の目的は、従来のフィクスチャーに形成されたカッティングエッジ部によって、フィクスチャーの植立方向が要求される方向からずれる現象を阻止させて、成功的なインプラント施術を導き出すことができる歯科用インプラントのフィクスチャー及びそれを備えるインプラントシステムを提供することである。
【００１７】
本発明のさらに他の目的は、従来のフィクスチャーのように胴部の外面の全領域にわたって形成されるネジ部によって、フィクスチャーが植立されるホールの開口部の領域に存在する歯槽骨の損傷を阻止させて、成功的なインプラント施術を導き出すことができる歯科用インプラントのフィクスチャー及びそれを備えるインプラントシステムを提供することである。
【課題を解決するための手段】
【００１８】
本発明の目的は、本発明によって、第１胴部と、前記第１胴部の外面の周り方向に沿って螺旋形に形成されるが、断絶区間なしに連続して形成される第１連続ネジ部とを備える第１フィクスチャーと、前記第１胴部と同一の第２胴部と、前記第２胴部の外面の周り方向に沿って螺旋形に形成されるが、前記第１連続ネジ部とは異なる外径を有する第２連続ネジ部とを備える第２フィクスチャーと、を含むことを特徴とするインプラントシステムによって達成される。
【００１９】
ここで、前記第２連続ネジ部の端部領域は、前記第１連続ネジ部の先端部から所定長さほど半径方向外側にさらに延設される。
【００２０】
前記第２連続ネジ部の端部領域は、前記第１連続ネジ部の先端部から前記第１連続ネジ部の上面または下面の曲面と同様に所定長さほど半径方向外側にさらに延設される。
【００２１】
前記第１フィクスチャーは、前記第１胴部の一端部に形成され、前記第１連続ネジ部によって、前記第１フィクスチャーが植立されるホール（ｈｏｌｅ）の開口部の領域に存在する歯槽骨の損傷を阻止させる第１骨損傷阻止部をさらに含み、前記第２フィクスチャーは、前記第２胴部の一端部に形成され、前記第２連続ネジ部によって、前記ホールの開口部の領域に存在する歯槽骨の損傷を阻止させる第２骨損傷阻止部をさらに含みうる。
【００２２】
前記第１及び第２骨損傷阻止部のそれぞれは、前記第１及び第２胴部の一端部の外面で前記第１及び第２連続ネジ部が形成されていない非ネジ区間によって形成されるが、前記第１及び第２胴部の一端部で所定長さほど前記第１及び第２胴部に一体に形成されうる。
【００２３】
前記第１及び第２骨損傷阻止部のそれぞれは、前記第１及び第２胴部の一端部から反対側に行くほどその断面積が小さくなる非直線形の外面を有しうる。
【００２４】
前記第１及び第２胴部は、植立方向に沿って断面積が漸進的に小さくなるように外面がテーパー状に設けられ、前記第１及び第２連続ネジ部の先端部を連結する仮想の外郭ラインは、植立方向に沿って漸進的にその幅が狭くなるテーパー傾斜ラインを形成しうる。
【００２５】
前記第１連続ネジ部のネジ山の間のピッチ間隔と前記第２連続ネジ部のネジ山の間のピッチ間隔は、互いに同一であり得る。
【００２６】
前記第１及び第２連続ネジ部のそれぞれは、垂直または一側に傾いた形態の先端部と、前記先端部の上面または下面に形成されるが、植立時の抵抗トルクを減少させる曲面部と、を含み、前記第１フィクスチャーは、前記第１骨損傷阻止部の反対側の前記第１胴部の他端部に設けられ、前記第１胴部が植立方向に対して、前記第１胴部の先端部から前記第１胴部の長手方向に所定の区間ほど形成されて、前記第１胴部に対する初期の植立進入方向を案内する第１進入方向案内部をさらに含み、前記第２フィクスチャーは、前記第２骨損傷阻止部の反対側の前記第２胴部の他端部に設けられ、前記第２胴部が植立方向に対して、前記第２胴部の先端部から前記第２胴部の長手方向に所定の区間ほど形成されて、前記第２胴部に対する初期の植立進入方向を案内する第２進入方向案内部をさらに含みうる。
【００２７】
一方、前記目的は、本発明によって、第１胴部と、前記第１胴部の一端部に形成されて、前記第１胴部が植立されるホールの開口部の領域に存在する歯槽骨の損傷を阻止させる第１骨損傷阻止部とを備える第１フィクスチャーと、前記第１胴部と同一の第２胴部と、前記第２胴部の一端部に形成されて、前記ホールの開口部の領域に存在する歯槽骨の損傷を阻止させる第２骨損傷阻止部とを備える第２フィクスチャーと、を含むことを特徴とするインプラントシステムによっても達成される。
【００２８】
ここで、前記第１フィクスチャーは、前記第１胴部の外面の周り方向に沿って螺旋形に形成される第１ネジ部を含み、前記第２フィクスチャーは、前記第２胴部の外面の周り方向に沿って螺旋形に形成される第２ネジ部を含み、前記第２ネジ部の端部領域は、前記第１ネジ部の先端部から所定長さほど半径方向外側にさらに延設される。
【００２９】
前記第２ネジ部の端部領域は、前記第１ネジ部の先端部から前記第１ネジ部の上面または下面の曲面と同様に所定長さほど半径方向外側にさらに延設される。
【００３０】
前記第１及び第２胴部は、植立方向に沿って断面積が漸進的に小さくなるように外面がテーパー状に設けられ、前記第１及び第２ネジ部の先端部を連結する仮想の外郭ラインは、植立方向に沿って漸進的にその幅が狭くなるテーパー傾斜ラインを形成しうる。
【００３１】
前記第１ネジ部のネジ山の間のピッチ間隔と前記第２ネジ部のネジ山の間のピッチ間隔は、互いに同一であり、前記第１ネジ部と前記第２ネジ部はいずれも、前記第１胴部と前記第２胴部上で断絶区間なしに連続して形成される第１連続ネジ部及び第２連続ネジ部であり得る。
【００３２】
前記第１及び第２骨損傷阻止部のそれぞれは、前記第１及び第２胴部の一端部の外面の非ネジ区間によって形成されるが、前記第１及び第２胴部の一端部で所定長さほど前記第１及び第２胴部に一体に形成されうる。
【００３３】
前記第１及び第２骨損傷阻止部のそれぞれは、前記第１及び第２胴部の一端部から反対側に行くほどその断面積が小さくなる非直線形の外面を有しうる。
【００３４】
一方、前記目的は、本発明によって、胴部と、前記胴部の外面の周り方向に沿って螺旋形に形成されるが、断絶区間なしに連続して形成される連続ネジ部と、を含むことを特徴とする歯科用インプラントのフィクスチャーによっても達成される。
【００３５】
ここで、前記胴部の一端部に形成され、前記連続ネジ部によって、前記胴部が植立されるホールの開口部の領域に存在する歯槽骨の損傷を阻止させる骨損傷阻止部をさらに含みうる。
【００３６】
前記骨損傷阻止部は、前記胴部の一端部の外面で前記連続ネジ部が形成されていない非ネジ区間によって形成されうる。
【００３７】
前記骨損傷阻止部は、前記胴部の一端部で所定長さほど前記胴部に一体に形成されうる。
【００３８】
前記骨損傷阻止部は、前記胴部の一端部から反対側に行くほどその断面積が小さくなる非直線形の外面を有しうる。
【００３９】
前記骨損傷阻止部の反対側の前記胴部の他端部に設けられ、前記胴部が植立方向に対して、前記胴部の先端部から前記胴部の長手方向に所定の区間ほど形成されて、前記胴部に対する初期の植立進入方向を案内する進入方向案内部をさらに含みうる。
【００４０】
前記胴部は、植立方向に沿って断面積が漸進的に小さくなるように外面がテーパー状に設けられ、前記連続ネジ部の先端部を連結する仮想の外郭ラインは、植立方向に沿って漸進的にその幅が狭くなるテーパー傾斜ラインを形成しうる。
【００４１】
前記連続ネジ部は、垂直または一側に傾いた形態の先端部と、前記先端部の上面または下面に形成されるが、植立時の抵抗トルクを減少させる曲面部と、を含み、前記曲面部は、前記先端部を基準にその上面または下面にそれぞれ形成される上部及び下部曲面部であり得る。
【００４２】
前記胴部の一端部の内部領域には、支台柱が結合される支台柱結合部が設けられ、前記支台柱結合部は、前記胴部の一端部で前記胴部の長手方向に沿って１次に陷沒される１次陷沒部と、前記１次陷沒部の下端部で前記胴部の長手方向に沿ってさらに深く２次に陷沒形成される多角状の２次陷沒部と、前記２次陷沒部の中央領域で前記胴部の長手方向に沿って形成されて、前記支台柱の結合のための支台柱スクリューが締結されるスクリュー溝と、を含みうる。
【００４３】
一方、前記目的は、本発明によって、胴部と、前記胴部の一端部に形成され、前記胴部が植立されるホールの開口部の領域に存在する歯槽骨の損傷を阻止させる骨損傷阻止部と、を含みうる。
【００４４】
ここで、前記骨損傷阻止部は、前記胴部の一端部の外面の非ネジ区間によって形成されるが、前記胴部の一端部で所定長さほど前記胴部に一体に形成されうる。
【００４５】
前記骨損傷阻止部は、前記胴部の一端部から反対側に行くほどその断面積が小さくなる非直線形の外面を有しうる。
【００４６】
前記胴部の一端部の内部領域には、支台柱が結合される支台柱結合部が設けられ、前記支台柱結合部は、前記胴部の一端部で前記胴部の長手方向に沿って１次に陷沒される１次陷沒部と、前記１次陷沒部の下端部で前記胴部の長手方向に沿ってさらに深く２次に陷沒形成される多角状の２次陷沒部と、前記２次陷沒部の中央領域で前記胴部の長手方向に沿って形成されて、前記支台柱の結合のための支台柱スクリューが締結されるスクリュー溝と、を含みうる。
【発明の効果】
【００４７】
本発明によれば、初期のフィクスチャーの植立が失敗しても、再び穿孔せずとも、直ちに次のフィクスチャーを植立することができて、従来よりもインプラント施術を便利に行える。
【００４８】
また、本発明によれば、従来のフィクスチャーに形成されたカッティングエッジ部によって、フィクスチャーの植立方向が要求される方向からずれる現象を阻止させて、成功的なインプラント施術を導き出すことができる。
【００４９】
また、本発明によれば、従来のフィクスチャーのように胴部の外面の全領域にわたって形成されるネジ部によって、フィクスチャーが植立されるホールの開口部の領域に存在する歯槽骨の損傷を阻止させて、成功的なインプラント施術を導き出すことができる。
【図面の簡単な説明】
【００５０】
【図１】本発明の一実施形態によるインプラントシステムの構成図である。
【図２】同じサイズの歯槽骨のホールに異なるサイズの４つのフィクスチャーが植立された状態のイメージである。
【図３】図１に示された歯科用インプラントの第１フィクスチャーが植立される過程を概略的に示す斜視図である。
【図４】第１フィクスチャーの斜視図である。
【図５】第１フィクスチャーの側面図である。
【図６】第１フィクスチャーの断面図である。
【図７】第１フィクスチャーの平面図である。
【図８】第１フィクスチャー及び第２フィクスチャーの連続ネジ部領域の拡大構造図である。
【図９】第１フィクスチャーに結合される支台柱の斜視図である。
【発明を実施するための形態】
【００５１】
本発明と本発明の動作上の利点及び本発明の実施によって達成される目的を十分に理解するためには、本発明の望ましい実施形態を例示する添付図面及び添付図面に記載の内容を参照しなければならない。
【００５２】
以下、添付図面を参照して、本発明の望ましい実施形態を説明することによって、本発明を詳しく説明する。各図面に付された同じ参照符号は、同じ部材を表わす。
【００５３】
図１は、本発明の一実施形態によるインプラントシステムの構成図であり、図２は、同じサイズの歯槽骨のホールに異なるサイズの４つのフィクスチャーが植立された状態のイメージであり、図３は、図１に示された歯科用インプラントの第１フィクスチャーが植立される過程を概略的に示す斜視図である。
【００５４】
図３を先に参照すると、歯茎１１には、多数の歯牙１２が配列されている。歯牙１２は、食べ物を細かく砕いて胃腸に送る１次的消化手段であって、人ごとに異なることはできるが、普通２８個程度が備われる。
【００５５】
このような歯牙１２のうちからある一歯牙１２が喪失される場合（臼歯部が欠損される場合）、喪失された歯牙１２によって審美感が落ちるだけではなく、食べ物をかむのに非常に不便さがある。これにより、喪失された歯牙１２の歯茎１１に歯牙１２の歯根１２ａを代替しうる手段として第１フィクスチャー１００を植立する。
【００５６】
もちろん、第１フィクスチャー１００のサイズが合わない場合には、第１フィクスチャー１００を抜き、その位置に第２フィクスチャー２００を植立する。第１フィクスチャー１００と第２フィクスチャー２００は、人体に拒否反応のないチタン（Ｔｉ）またはチタン（Ｔｉ）合金で製造可能である。
【００５７】
このように、第１フィクスチャー１００と第２フィクスチャー２００は、必要に応じて選択された後に、歯茎１１内の歯槽骨に植立されるが、最初の第１フィクスチャー１００の植立のためにドリル作業が先行される。すなわち、歯槽骨の所定位置にドリリングされたホールＨが加工される。
【００５８】
図１及び図２を参照して、本実施形態のインプラントシステムについて説明すれば、本実施形態のインプラントシステムは、大きく２つの第１フィクスチャー１００と第２フィクスチャー２００とを含む。
【００５９】
前述したように、第１フィクスチャー１００は、歯槽骨に形成されたホールＨ（図３参照）に植立され、第２フィクスチャー２００は、第１フィクスチャー１００のサイズが緩い時、第１フィクスチャー１００を抜き、その位置にそのまま植立される。もちろん、同じ条件で、第２フィクスチャー２００よりも大サイズの第３フィクスチャー（図示せず）、第４フィクスチャー（図示せず）などが当該ホールＨに植立されうる。
【００６０】
このように、第１フィクスチャー１００が植立されたその位置に別途のドリル加工なしに、また周辺の歯槽骨の損傷なしに第２フィクスチャー２００が植立されるためには、第１フィクスチャー１００と第２フィクスチャー２００とが一定の共通条件を有さなければならない。
【００６１】
このように、本実施形態のインプラントシステムで、第１フィクスチャー１００と第２フィクスチャー２００は、いくつかの部分を除いては同一構造を有する。
【００６２】
したがって、以下、第２フィクスチャー２００についての構造説明は、省略する代わりに、第１フィクスチャー１００についての構造を具体的に説明しながら、必要に応じて第１フィクスチャー１００と異なる部分の第２フィクスチャー２００について当該位置で敷衍させる。
【００６３】
参考までに、以下で説明される本発明の第１フィクスチャー１００は、最初のインプラント施術時に使われるものであり、あるいは施術失敗時に損傷した部位に所定の骨代替材料を補わず、該当する歯槽骨に直接植立する時に使われる応急用でもあり得る。このような事項は、第２フィクスチャー２００も同一である。
【００６４】
図４ないし図７は、それぞれ第１フィクスチャーの斜視図、側面図、断面図、及び平面図であり、図８は、第１フィクスチャー及び第２フィクスチャーの連続ネジ部領域の拡大構造図であり、図９は、第１フィクスチャーに結合される支台柱の斜視図である。
【００６５】
図１を含んで、図４ないし図９を参照すると、本実施形態のインプラントシステムの一構成を担当することができる歯科用インプラントの第１フィクスチャー１００は、両端部に第１骨損傷阻止部１７０と第１進入方向案内部１６０とが形成される第１胴部１２０と、第１胴部１２０の外面の周り方向に沿って螺旋形に形成されるが、断絶区間なしに連続して形成される第１連続ネジ部１３０とを備える。
【００６６】
参考までに、図１に示したように、本実施形態のインプラントシステムの一構成を担当することができる歯科用インプラントの第２フィクスチャー２００も、両端部に第２骨損傷阻止部２７０と第２進入方向案内部２６０とが形成される第２胴部２２０と、第２胴部２２０の外面の周り方向に沿って螺旋形に形成されるが、断絶区間なしに連続して形成される第２連続ネジ部２３０とを備えている点では同一である。第１及び第２胴部１２０、２２０は、実質的に同じサイズに設けられうる。
【００６７】
まず、第１胴部１２０は、本実施形態の第１フィクスチャー１００で中心ステム（ｓｔｅｍ）を形成する部分である。図３の矢印方向に第１フィクスチャー１００が植立されるのために、植立が容易になるように、第１胴部１２０は、植立方向に沿って断面積が漸進的に小さくなるように外面がテーパー状に設けられる。これは、第２フィクスチャー２００の第２胴部２２０にも、共通して適用される。
【００６８】
実際、従来に使われたフィクスチャーの胴部（図示せず）は、長手方向に沿ってその断面直径がいずれも同じ円柱タイプの一字型構造であるが、本実施形態の第１及び第２フィクスチャー１００、２００で第１及び第２胴部１２０、２２０は、植立方向に沿って断面積が漸進的に小さくなるテーパー状を有する。したがって、植立が容易になる。
【００６９】
この際、第１及び第２胴部１２０、２２０は、その外面の全領域で同じ傾きを有することもあり、あるいは一部区間のみがテーパー状の傾きを有することもある。後者の場合であれば、図１を基準に第１及び第２胴部１２０、２２０の上端部で中央領域に至る区間は、テーパー状の傾きを形成し、その残りの部分は、まるで円柱のような直線形態を有しうるが、このような場合には、初期の植立を容易にしながら、強い固定力を提供することができる。
【００７０】
第１胴部１２０の一端部のコーナー領域には、第１ベベル部１２１が形成される。第１ベベル部１２１は、歯槽骨より広い接触面積を提供することによって、強い固定力を提供する。そして、第１ベベル部１２１が形成された第１胴部１２０の一端部の内部領域には、支台柱１５０（図９参照）が結合される第１支台柱結合部１４０が設けられる。
【００７１】
図９を参照して、支台柱１５０について簡略に説明すれば、支台柱１５０は、截頭円錐状を有し、内側に貫通孔１５１ａが形成される支台柱本体１５１と、支台柱本体１５１の下端部に形成される１次結合部１５２と、１次結合部１５２の下端部に形成される六角状の２次結合部１５３とを備える。
【００７２】
１次結合部１５２は、後述する支台柱結合部１４０の１次陷沒部１４１に嵌合される部分であり、２次結合部１５３は、支台柱結合部１４０の２次陷沒部１４２に嵌合される部分である。
【００７３】
後述するように、１次陷沒部１４１の内壁は、テーパー状に形成されるために、支台柱１５０の１次結合部１５２も、その外面がテーパー状に形成される。２次結合部１５３の形状は、２次陷沒部１４２の形状と同様に設けられる。
【００７４】
このような構造の支台柱１５０が結合される第１支台柱結合部１４０は、第１胴部１２０の一端部で第１胴部１２０の長手方向に沿って１次に陷沒される１次陷沒部１４１と、１次陷沒部１４１の他端部で第１胴部１２０の長手方向に沿ってさらに深く２次に陷沒されるが、六角状を有する２次陷沒部１４２と、２次陷沒部１４２の中央領域で第１胴部１２０の長手方向に沿って形成されて、支台柱１５０の結合のための支台柱スクリュー（図示せず）が締結されるスクリュー溝１４３とを備える。
【００７５】
１次陷沒部１４１は、支台柱１５０（図９参照）の１次結合部１５２が結合される部分である。この際、支台柱１５０の１次結合部１５２は、第１フィクスチャー１００の１次陷沒部１４１内で強い結合または密着結合されなければならないが、強い結合がなされると結合が容易に解けられず、また密着結合されるとシーリング（ｓｅａｌｉｎｇ）になることによって、感染の恐れを無くすことができる。これにより、１次陷沒部１４１の内壁は、上端部から下端部に行くほど直径が漸進的に狭くなるようにテーパー状に形成される。その傾斜角度は、支台柱１５０の１次結合部１５２の外面の傾斜角度と同様に、２°ないし６°の範囲を有することができるが、このような範囲として１次陷沒部１４１の内壁を加工し、ここに支台柱１５０を結合させれば、テーパー状の１次陷沒部１４１で支台柱１５０の１次結合部１５２が強い結合または密着結合される。
【００７６】
２次陷沒部１４２は、１次陷沒部１４１を通過した支台柱１５０の２次結合部１５３が結合されるように嵌合される部分である。図９に示したように、支台柱１５０の２次結合部１５３が、まるで六角ナット状を有するので、これに対応して結合されるように、２次陷沒部１４２も、六角状に製作される。このように、２次陷沒部１４２が六角状に形成され、これに結合されるように支台柱１５０の２次結合部１５３が嵌合されることによって、支台柱１５０の回転を防止することができる。
【００７７】
スクリュー溝１４３は、支台柱１５０の１次結合部１５２及び２次結合部１５３が支台柱結合部１４０の１次陷沒部１４１及び２次陷沒部１４２にそれぞれ嵌合された場合、支台柱１５０の貫通孔１５１ａを通過した支台柱スクリュー（図示せず）が締結される部分である。このようなスクリュー溝１４３は、支台柱１５０の貫通孔１５１ａと同じサイズに製作される。
【００７８】
次いで、第１胴部１２０の両端部に形成される第１骨損傷阻止部１７０と第１進入方向案内部１６０とについて説明する。
【００７９】
第１骨損傷阻止部１７０は、第１胴部１２０の一端部に形成される部分であって、第１フィクスチャー１００がホールＨ（図３参照）に植立される時、第１連続ネジ部１３０によって、ホールＨの開口部の領域に存在する歯槽骨の損傷を阻止させる部分である。
【００８０】
このような第１骨損傷阻止部１７０は、第１胴部１２０の一端部の外面で第１連続ネジ部１３０が形成されていない非ネジ区間によって形成され、第１胴部１２０の一端部で所定長さほど第１胴部１２０に一体に形成される。特に、第１骨損傷阻止部１７０は、図５に拡大された部分のように、第１胴部１２０の一端部から反対側に行くほどその断面積が小さくなる非直線形の外面を有する。
【００８１】
このように、第１胴部１２０の一端部に第１連続ネジ部１３０が形成されていない非ネジ区間としての第１骨損傷阻止部１７０が設けられれば、従来のように、第１胴部１２０の一端部（図面上の上端部）端まで形成されるネジ部（図示せず）によって、ホールＨの開口部の領域に存在する歯槽骨の損傷を予防することができて、成功的なインプラント施術を導き出すことができる。図１に示したように、第２フィクスチャー２００にも、第１骨損傷阻止部１７０と同一構造であって、同じ機能を行う第２骨損傷阻止部２７０が形成される。
【００８２】
第１進入方向案内部１６０は、第１骨損傷阻止部１７０の反対側の第１胴部１２０の他端部に設けられる。このような第１進入方向案内部１６０は、第１胴部１２０が植立方向に対して第１胴部１２０の先端部から第１胴部１２０の長手方向に所定の区間ほど形成されて、第１胴部１２０に対する初期の植立進入方向を案内する役割を果たす。
【００８３】
もし、従来の技術のように、第１進入方向案内部１６０を作らず、第１進入方向案内部１６０の領域まで第１連続ネジ部１３０を加工すれば、第１連続ネジ部１３０の特性によって植立進入方向が容易ではないこともある。
【００８４】
しかし、本実施形態のように、第１連続ネジ部１３０がない非ネジ区間として第１進入方向案内部１６０を設けば、少なくとも第１進入方向案内部１６０ほどはホールＨ（図３参照）にそのまま挿入されて、植立進入方向がずれる恐れがなく、この状態で第１連続ネジ部１３０に依存して第１フィクスチャー１００を植立すれば良いために、作業が非常に便利になる利点がある。
【００８５】
第１進入方向案内部１６０は、前述したように、第１胴部１２０の他端部（図面上の下端部）の領域で第１連続ネジ部１３０が形成されていない非ネジ区間によって設けられうる。非ネジ区間は、第１フィクスチャー１００の製作時に一体に加工させても良く、第１胴部１２０の外面の全領域に第１連続ネジ部１３０を作った後に、後加工を通じて加工しても良い。このような第１進入方向案内部１６０は、胴部１２０の下端から上方に１ｍｍないし３ｍｍの区間にわたって形成されうる。
【００８６】
第１進入方向案内部１６０は、水平方向に平坦に形成される第１平坦部１６１と、第１平坦部１６１の周り面から上方に行くほど半径が広くなるように形成される第１傾斜部１６２と、第１傾斜部１６２と第１連続ネジ部１３０とを連結するが、少なくとも一領域が半径方向内側に湾曲して形成される第１湾曲部１６３とを含む。この際、第１湾曲部１６３と第１傾斜部１６２は、図面と異なって、１つのアーク（ａｒｃ）ラインに一体化されることもできる。図１に示したように、第２フィクスチャー２００にも、第１進入方向案内部１６０と同一構造であって、同じ機能を行う第２進入方向案内部２６０が形成される。
【００８７】
一方、第１連続ネジ部１３０は、第１フィクスチャー１００がネジ方式によって植立されるように、第１胴部１２０の外面の周り方向に沿って螺旋形に形成される。この際、本実施形態の第１フィクスチャー１００で第１連続ネジ部１３０は、断絶区間なしに第１胴部１２０の外面に連続して形成される。
【００８８】
敷衍すれば、従来のフィクスチャー（図示せず）の胴部の外面には、ネジ部の一定区間を断絶させた後、すなわち、ネジ部が連続されないように断絶させ、この領域に胴部の長手方向にカッティングエッジ部を１つまたは多数個形成したが、カッティングエッジ部の鋭い垂直先端部によって、むしろフィクスチャーの植立方向が要求される方向からずれる恐れが高かった。
【００８９】
しかし、本実施形態の第１フィクスチャー１００には、カッティングエッジ部がないために、第１胴部１２０の外面には、断絶されていない連続した第１連続ネジ部１３０が形成され、このような第１連続ネジ部１３０によって、第１フィクスチャー１００の植立方向が要求される方向からずれる現象を予防することができる。すなわち、第１連続ネジ部１３０は、第１骨損傷阻止部１７０と第１進入方向案内部１６０の領域を除き、第１胴部１２０の外面の周り方向に沿って断絶なしに連続して形成される。このような事項は、第２フィクスチャー２００の第２連続ネジ部２３０にも同様に適用される。
【００９０】
一方、第１連続ネジ部１３０の形状的または構造的な特徴について図８を参照して説明すれば、次の通りである。図８と関連しては、第２フィクスチャー２００の第２連続ネジ部２３０と比べながら説明する。
【００９１】
図８に示したように、第１連続ネジ部１３０は、垂直または一側に傾いた形態の第１先端部１３１ａと、第１先端部１３１ａの上面を形成する第１上部曲面部１３１ｂと、第１先端部１３１ａの下面を形成する第１下部曲面部１３１ｃとを備える。
【００９２】
これについてより具体的に説明すれば、第１連続ネジ部１３０の山の形状、すなわち、本実施形態で第１連続ネジ部１３０の形態は、通常の三角ネジや四角ネジの形態から外れて第１先端部１３１ａを基準にその上面及び下面が直線ではない凸状の形態で加工される。
【００９３】
敷衍すれば、第１先端部１３１ａは、実質的にほぼ垂直である直線型に設けられるのに反して、第１先端部１３１ａを基準に上部及び下部は、それぞれ上方と下方とに凸状の（他の側から見れば、凹状の）形態の第１上部及び第１下部曲面部１３１ｂ、１３１ｃを形成する。もちろん、第１上部及び第１下部曲面部１３１ｂ、１３１ｃは、何れか１つのみが形成されうるが、本実施形態のように、第１先端部１３１ａを基準に相互対称になるように設けられることが望ましいが、このような形状的または構造的な特徴を有する場合、第１フィクスチャー１００の植立時に抵抗トルクが少なくかかって植立が容易になる利点がある。
【００９４】
参考までに、第１上部及び第１下部曲面部１３１ｂ、１３１ｃを成す仮想の直線ライン（図８の点線参照）が相互開いている角度θは、ほぼ３０°程度であり得るが、必ずしもそういうことではない。また、前記では、第１上部及び第１下部曲面部１３１ｂ、１３１ｃが相互対称になるように設けられると図示及び説明したが、場合によっては、第１上部及び第１下部曲面部１３１ｂ、１３１ｃは、非対称形状を有することもあるが、このような場合、第１下部曲面部１３１ｃがさらに厚いことがある。結果的に、第１上部及び第１下部曲面部１３１ｂ、１３１ｃは、第１フィクスチャー１００の植立時に抵抗トルクが少なくかかって植立が容易になるようにする役割を果たせば、それで十分であるので、第１上部及び第１下部曲面部１３１ｂ、１３１ｃの相互開いている角度、そして、第１上部及び第１下部曲面部１３１ｂ、１３１ｃの対称または非対称構造は、状況に合わせて適切に変更されうる。
【００９５】
第２フィクスチャー２００の第２連続ネジ部２３０も、前述した第１フィクスチャー１００の第１連続ネジ部１３０と同一構造を有する。すなわち、第２連続ネジ部２３０も、第２先端部２３１ａと、第２先端部２３１ａの上下面を形成する第２上部曲面部及び第２下部曲面部２３１ｃとを備えている。
【００９６】
この際、第１連続ネジ部１３０のネジ山の間のピッチ間隔Ｐと第２連続ネジ部２３０のネジ山の間のピッチ間隔Ｐは、互いに同一である。そして、第２連続ネジ部２３０の端部領域（図８のハッチングされた部分、△Ｈ）は、第１連続ネジ部１３０の先端部１３１ａから第１連続ネジ部１３０の上面または下面曲面部１３１ｂ、１３１ｃと同様に所定長さほど半径方向外側にさらに延設される。このような構造を有する場合、第１フィクスチャー１００が植立されたその位置のホールＨ（図３参照）に別途のドリル加工なしに、また周辺の歯槽骨の損傷なしに第２フィクスチャー２００をそのまま植立することができるために、従来よりもインプラント施術を便利に行える利点がある。
【００９７】
参考までに、第１連続ネジ部１３０の外郭ラインを説明すれば、第１骨損傷阻止部１７０側から第１進入方向案内部１６０に至るように第１連続ネジ部１３０の先端部を連結する仮想の外郭ラインは、漸進的にその幅が狭くなるテーパー傾斜ラインを形成する。このような事項は、第２連続ネジ部２３０にも同様に適用される。もちろん、第１連続ネジ部１３０及び第２連続ネジ部２３０の外郭ラインが、全領域で同じ傾きを有することもあり、あるいは一部区間のみがテーパー状の傾きを有することもあり、このような事項も、本発明の権利範囲に属すると言わなければならない。
【００９８】
最後に、本実施形態のインプラントシステムと関連して、図１を参照して再び整理すれば、第１フィクスチャー１００と第２フィクスチャー２００は、ほぼ共通した構造を有する。すなわち、第１フィクスチャー１００の第１胴部１２０と第２フィクスチャー２００の第２胴部２２０は、互いに同様に製作され、第１及び第２骨損傷阻止部１７０、２７０側で第１及び第２進入方向案内部１６０、２６０を備えているという点で共通している。
【００９９】
しかしながら、第１フィクスチャー１００の第１連続ネジ部１３０と第２フィクスチャー２００の第２連続ネジ部２３０とを比べると、第１連続ネジ部１３０のネジ山の間のピッチ間隔Ｐと第２連続ネジ部２３０のネジ山の間のピッチ間隔Ｐは、互いに同一であり、第２連続ネジ部２３０の端部領域（図８のハッチングされた部分、△Ｈ）が、第１連続ネジ部１３０の先端部１３１ａから第１連続ネジ部１３０の上面または下面曲面部１３１ｂ、１３１ｃと同様に所定長さほど半径方向外側にさらに延設されるという点で差がある。したがって、前述したように、第１フィクスチャー１００の第１胴部１２０と第２フィクスチャー２００の第２胴部２２０とが互いに同一であるために、歯槽骨にホールＨ（図３参照）を穿孔する時、共用ドリル（図示せず）１つのみ利用すれば良い。
【０１００】
また、図１で、共用ドリル（図示せず）を用いて歯槽骨にホールＨ（図３参照）を形成した後に、第１フィクスチャー１００を植立した場合、第１フィクスチャー１００の植立が失敗しても、再び穿孔せずとも、直ちに次のフィクスチャーである第２フィクスチャー２００を既に穿孔されているホールＨ（図３参照）に植立することができるために、従来よりもインプラント施術を便利に行える。これは、第１フィクスチャー１００の第１胴部１２０と第２フィクスチャー２００の第２胴部２２０とが互いに同一であり、第１及び第２連続ネジ部１３０、２３０のサイズのみが互いに異なるためである。
【０１０１】
これについて図２を参照して敷衍すれば、共用ドリルを用いて歯槽骨にホールＨ（図３参照）を穿孔した後に、直径サイズが４．０である、例えば、第１フィクスチャー１００を植立してインプラント施術作業を進行する過程で第１フィクスチャー１００の植立が失敗しても、再び穿孔作業をせずとも、直径サイズが４．５である、例えば、第２フィクスチャー２００を植立すれば良い。もちろん、第２フィクスチャー２００も失敗すれば、直径サイズが５．０及び５．５である第３及び第４フィクスチャー（図示せず）をその位置にそのまま植立すれば良い。
【０１０２】
このような構成に基づいて、インプラント施術について簡略に説明すれば、次の通りである。
【０１０３】
まず、所定の共用ドリル（図示せず）を使って植立位置を穿孔して、図３のような形態のドリル溝Ｈを形成する。この際、ドリル溝Ｈの直径は、第１胴部１２０の最大直径部分の幅程度に形成すれば良い。
【０１０４】
次に、植立位置に先に第１フィクスチャー１００を配置し、第１フィクスチャー１００を歯槽骨のドリル溝Ｈに挿入して植立する。
【０１０５】
このように、第１フィクスチャー１００を植立すれば、まず第１進入方向案内部１６０の長さまでホールＨ（図３参照）にそのまま挿入されて、植立進入方向がずれる恐れがない。言い換えれば、初期の植立進入方向を容易に案内することができて、インプラント施術作業をより便利に進行できる。
【０１０６】
第１進入方向案内部１６０によって植立の方向が取られれば、引き続き第１フィクスチャー１００を回転させながら植立する。そうすると、第１連続ネジ部１３０の構造的な特徴によって植立が容易になり、植立が完了すれば、第１フィクスチャー１００は、歯槽骨に強い固定力で固定される。この際、第１フィクスチャー１００の一端部、すなわち、図面上の上端部に位置される第１骨損傷阻止部１７０によって、ホールＨの開口部の領域に存在する歯槽骨が損傷されることが阻止される。
【０１０７】
一方、前記のように、第１フィクスチャー１００を植立し、一定期間待つことが理想的ではあるが、場合によっては、第１フィクスチャー１００の植立が失敗につながることもできる。このような状況であれば、再び穿孔せずとも、直ちに次のフィクスチャーである第２フィクスチャー２００を既に穿孔されているホールＨ（図３参照）に、前記の過程どおりに植立すれば良い。
【０１０８】
これは、引き続き反復説明したように、第１フィクスチャー１００の第１胴部１２０と第２フィクスチャー２００の第２胴部２２０とが互いに同一であり、特に、第１連続ネジ部１３０のネジ山の間のピッチ間隔Ｐと第２連続ネジ部２３０のネジ山の間のピッチ間隔Ｐは、互いに同一であり、第２連続ネジ部２３０の端部領域（図８のハッチングされた部分、△Ｈ）が、第１連続ネジ部１３０の先端部１３１ａから第１連続ネジ部１３０の上面または下面曲面部１３１ｂ、１３１ｃと同様に所定長さほど半径方向外側にさらに延設されるためである。
【０１０９】
もし、第１フィクスチャー１００の植立が失敗なしに正常に行われた場合には、第１フィクスチャー１００に対する骨融合が進行した後に、第１フィクスチャー１００の第１支台柱結合部１４０に支台柱１５０（図９参照）を結合させる。
【０１１０】
まず、第１支台柱結合部１４０に支台柱１５０を結合させれば、支台柱１５０の１次結合部１５２及び２次結合部１５３が、第１支台柱結合部１４０の１次陷沒部１４１及び２次陷沒部１４２にそれぞれ嵌合される。この場合、支台柱１５０の２次結合部１５３と第１支台柱結合部１４０の２次陷沒部１４２との間の結合によって、支台柱１５０の回転は防止される。そして、支台柱１５０の１次結合部１５２と第１支台柱結合部１４０の１次陷沒部１４１との間に強い結合または密着結合がなされることによって、結合が容易に解けられず、かつ有利であるだけではなく、密着結合されてシーリングになることによって、感染の恐れを無くすことができる。
【０１１１】
支台柱１５０の１次結合部１５２及び２次結合部１５３が、第１支台柱結合部１４０の１次陷沒部１４１及び２次陷沒部１４２にそれぞれ嵌合されれば、支台柱１５０の貫通孔１５１ａに支台柱スクリュー（図示せず）を挿入してスクリュー溝１４３に締結することによって、支台柱１５０の結合を完了する。その後に、支台柱１５０に最終補綴物を被せることによって、インプラント施術は完了する。
【０１１２】
このような構造を有する本実施形態のインプラントシステムによれば、初期の第１フィクスチャー１００の植立が失敗しても、再び穿孔せずとも、直ちに次のフィクスチャーである第２フィクスチャー２００を植立することができて、従来よりもインプラント施術を便利に行える。
【０１１３】
また、本実施形態の第１及び第２歯科用インプラントのフィクスチャー１００、２００によれば、従来のフィクスチャーに形成されたカッティングエッジ部（図示せず）によって、フィクスチャーの植立方向が要求される方向からずれる現象を阻止させて、成功的なインプラント施術を導き出すことができる。
【０１１４】
また、本実施形態の第１及び第２歯科用インプラントのフィクスチャー１００、２００によれば、従来のフィクスチャーのように、胴部の外面の全領域にわたって形成されるネジ部（図示せず）によって、フィクスチャーが植立されるホールＨ（図３参照）の開口部の領域に存在する歯槽骨の損傷を阻止させて、成功的なインプラント施術を導き出させる。
【０１１５】
このように、本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【０１１６】
本発明は、歯科でのインプラント施術時に好適に利用されうる。
【図１】
0005913290.tif 000002
【図２】
0005913290.tif 000003
【図３】
0005913290.tif 000004
【図４】
0005913290.tif 000005
【図５】
0005913290.tif 000006
【図６】
0005913290.tif 000007
【図７】
0005913290.tif 000008
【図８】
0005913290.tif 000009
【図９】
0005913290.tif 000010